(57)【要約】      （修正有）【課題】記録テープと共にリールに巻き回されたクリーニングテープから該記録テープを保護することができるテープ記録媒体、情報記録システム、及び記録テープカートリッジを得る。【解決手段】情報記録システムを構成するテープリールアセンブリ２８は、リール１４と、リール１４に巻き回され磁気ヘッドに接触しながら情報が書き込み又は読み出しされる記録テープＴと、リール１４に巻き回され磁気ヘッドに接触しながらヘッドをクリーニングするクリーニングテープ２２と、一端が記録テープＴの端部に接続されると共に他端がクリーニングテープ２２の端部に接続されたバッファテープ２４と、を備えている。バッファテープ２４は、記録テープＴとクリーニングテープ２２とが接触しないようにリール１４に少なくとも１周巻かれる長さを有する。【選択図】図１
2012174289.tif 000002
【特許請求の範囲】
【請求項１】
リールと、
リールに巻き回され、ヘッドに接触しながら情報が書き込み又は読み出しされる記録テープと、
前記リールに巻き回され、前記ヘッドに接触しながら該ヘッドをクリーニングするクリーニングテープと、
一端が前記記録テープの端部に接続されると共に、他端が前記クリーニングテープの端部に接続され、前記記録テープと前記クリーニングテープとが接触しないように前記リールに少なくとも１周巻かれる長さを有する保護テープと、
を備えたテープ記録媒体。
【請求項２】
ケースと、
前記ケース内に設けられた一対のリールの回転によって該ケース内で走行され、該ケース内に設けられたヘッドに接触しながら該ヘッドによって情報の書き込み及び読み取りの少なくとも一方が行われる記録テープと、
前記リールに巻き回され、前記ヘッドに接触しながら該ヘッドをクリーニングするクリーニングテープと、
一端が前記記録テープの端部に接続されると共に、他端が前記クリーニングテープの端部に接続され、前記記録テープと前記クリーニングテープとが接触しないように前記一対のリールの少なくとも一方に少なくとも１周巻かれる長さを有する保護テープと、
を備えた情報記録システム。
【請求項３】
前記保護テープは、前記一対のうち一方のリールに巻かれる場合に、該一方のリールに少なくとも一周巻かれ、かつ、前記一対のうち他方のリールに巻かれる場合に、該他方のリールに少なくとも一周巻かれる長さを有する請求項２記載の情報記録システム。
【請求項４】
ケースと、
前記ケース内に前記リールが回転可能に設けられた請求項１記載のテープ記録媒体と、
前記記録テープ又は前記クリーニングテープの端部に設けられ、前記ケース内から前記記録テープ及び前記クリーニングテープを引き出すためのリーダ部材と、
備えた記録テープカートリッジ。
【発明の詳細な説明】
【技術分野】
【０００１】
本発明は、リールに記録テープ及びクリーニングテープが巻き回されたテープ記録媒体、情報記録システム、及び記録テープカートリッジに関する。
【背景技術】
【０００２】
リールに巻回された走行テープが、磁気テープと、磁気テープのテープ端部に一端が接続された終端検出テープと、この終端検出テープの他端に接続されたクリーニングテープとを有する構成が知られている（例えば、特許文献１参照）。
【先行技術文献】
【特許文献】
【０００３】
【特許文献１】特開２００４−１７８６４５号公報
【発明の概要】
【発明が解決しようとする課題】
【０００４】
ところで、リールに記録テープ及びクリーニングテープが巻き回された構成において、該クリーニングテープから記録テープを保護することが望まれる。
【０００５】
本発明は、記録テープと共にリールに巻き回されたクリーニングテープから該記録テープを保護することができるテープ記録媒体、情報記録システム、及び記録テープカートリッジを得ることが目的である。
【課題を解決するための手段】
【０００６】
請求項１記載の発明に係るテープ記録媒体は、リールと、リールに巻き回され、ヘッドに接触しながら情報が書き込み又は読み出しされる記録テープと、前記リールに巻き回され、前記ヘッドに接触しながら該ヘッドをクリーニングするクリーニングテープと、一端が前記記録テープの端部に接続されると共に、他端が前記クリーニングテープの端部に接続され、前記記録テープと前記クリーニングテープとが接触しないように前記リールに少なくとも１周巻かれる長さを有する保護テープと、を備えている。
【０００７】
請求項１記載のテープ記録媒体では、記録テープと共にクリーニングテープがリールに巻き回されている。ここで、クリーニングテープと記録テープとの間に保護テープが介在され、この保護テープが１周以上リールに巻かれるので、クリーニングテープが記録テープの表面に接触することが防止される。これにより、ヘッドをクリーニングするクリーニングテープに対し記録テープが保護される。
【０００８】
このように、請求項１記載のテープ記録媒体では、記録テープと共にリールに巻き回されたクリーニングテープから該記録テープを保護することができる。
【０００９】
請求項２記載の発明に係る情報記録システムは、ケースと、前記ケース内に設けられた一対のリールの回転によって該ケース内で走行され、該ケース内に設けられたヘッドに接触しながら該ヘッドによって情報の書き込み及び読み取りの少なくとも一方が行われる記録テープと、前記リールに巻き回され、前記ヘッドに接触しながら該ヘッドをクリーニングするクリーニングテープと、一端が前記記録テープの端部に接続されると共に、他端が前記クリーニングテープの端部に接続され、前記記録テープと前記クリーニングテープとが接触しないように前記一対のリールの少なくとも一方に少なくとも１周巻かれる長さを有する保護テープと、を備えている。
【００１０】
請求項２記載の情報記録システムでは、記録テープに対する情報の書き込み又は読み取りの際には、一対のリールの回転によって記録テープが走行される。ヘッドは、走行する記録テープに接触しつつ、該記録テープに対する情報の書き込み又は記録テープに書き込まれている情報の読み込みを行う。そして、記録テープと共にリールに巻き回されているクリーニングテープが走行しつつヘッドに接触すると、該ヘッドがクリーニングされる。ここで、クリーニングテープと記録テープとの間に保護テープが介在され、この保護テープが１周以上リールに巻かれるので、クリーニングテープが記録テープの表面に接触することが防止される。これにより、ヘッドをクリーニングするクリーニングテープに対し記録テープが保護される。
【００１１】
このように、請求項２記載の情報記録システムでは、記録テープと共にリールに巻き回されたクリーニングテープから該記録テープを保護することができる。
【００１２】
請求項３記載の発明に係る情報記録システムは、請求項２記載の情報記録システムにおいて、前記保護テープは、前記一対のうち一方のリールに巻かれる場合に、該一方のリールに少なくとも一周巻かれ、かつ、前記一対のうち他方のリールに巻かれる場合に、該他方のリールに少なくとも一周巻かれる長さを有する。
【００１３】
請求項３記載の情報記録システムでは、保護テープが一対のリールの何れに巻かれる状態でも、１周以上巻かれるので、該何れの場合もクリーニングテープが記録テープの表面に接触することが防止される。
【００１４】
請求項４記載の発明に係る記録テープカートリッジは、ケースと、前記ケース内に前記リールが回転可能に設けられた請求項１記載のテープ記録媒体と、前記記録テープ又は前記クリーニングテープの端部に設けられ、前記ケース内から前記記録テープ及び前記クリーニングテープを引き出すためのリーダ部材と、を備えている。
【００１５】
請求項４記載の記録テープカートリッジでは、ドライブ装置内で記録テープがケースから引き出されて、該ドライブ装置内のヘッドによって記録テープに対する情報の書き込み又は記録テープに書き込まれている情報の読み込みが行われる。そして、記録テープと共にリールに巻き回されているクリーニングテープが走行しつつヘッドに接触すると、該ヘッドがクリーニングされる。ここで、クリーニングテープと記録テープとの間に保護テープが介在され、この保護テープが１周以上リールに巻かれるので、クリーニングテープが記録テープの表面に接触することが防止される。これにより、ヘッドをクリーニングするクリーニングテープに対し記録テープが保護される。
【００１６】
このように、請求項４記載の記録テープカートリッジでは、記録テープと共にリールに巻き回されたクリーニングテープから該記録テープを保護することができる。
【発明の効果】
【００１７】
以上説明したように本発明に係るテープ記録媒体、情報記録システム、及び記録テープカートリッジは、記録テープと共にリールに巻き回されたクリーニングテープから該記録テープを保護することができるという優れた効果を有する。
【図面の簡単な説明】
【００１８】
【図１】本発明の第１の実施形態に係る情報記録システムの要部を示す斜視図である。
【図２】本発明の第１の実施形態に係る情報記録システムの概略全体構成を示す斜視図である。
【図３】本発明の第１の実施形態に係る情報記録システム内の一部を模式的に示す断面図である。
【図４】本発明の第１の実施形態に係る情報記録システムにおけるバッファテープの巻き位置を示す図であって、（Ａ）は記録テープの全巻き戻し状態を模式的に示す断面図、（Ｂ）は記録テープの全繰り出し状態を模式的に示す断面図である。
【図５】本発明の第２の実施形態に係る記録テープカートリッジを示す斜視図である。
【発明を実施するための形態】
【００１９】
本発明の第１の実施形態に係る情報記録システム１０について、図１〜図４に基づいて説明する。なお、説明の便宜上、図２における矢印ＵＰを上方向、矢印ＤＮを下方向とする。
【００２０】
（情報記録システムの概略全体構成）
図２に示される如く、情報記録システム１０は、ケース１２と、ケース１２に内に収容された一対のリール１４、１６とを備えている。ケース１２には、リール１４、１６をユーザ等が出し入れするための開口部が形成されておらず、リール１４、１６は、情報の記録又は再生時、保管時を含む常時、ケース１２内で収容されている。
【００２１】
リール１４には、情報記録再生媒体としての磁気テープ等の記録テープＴが繰り出し可能に巻き回されており、リール１６には、記録テープＴの端部が巻き取り可能に接続されている。情報記録システム１０では、上下方向に沿った回転軸周りに回転するリール１４から繰り出された記録テープＴが上下方向に沿った回転軸周りに回転するリール１６によって巻き取られ、またリール１６からリール１４に記録テープＴが巻き戻されるようになっている。すなわち、リール１４は、記録テープＴの繰り出し用リールとされ、リール１６は、記録テープＴの巻き取り用のリールとされ、これらは記録テープＴ巻き方向が逆向きとされている。
【００２２】
図３に示される如く、リール１４、１６は、ケース１２内に設けられた回転部材１４Ａ、１６Ａに一体回転するように固定的に結合されている。なお、図３は、情報記録システム１０の一部を模式的に示す断面図である。回転部材１４Ａ、１６Ａは、それぞれの直下に配置された図示しないモータに直結されており、後述する磁気ヘッド２０を通過する記録テープＴの走行速度が略一定となるように同期して回転駆動されるようになっている。
【００２３】
また、図１、図３に示される如く、ケース１２内には、複数のテープガイド１８が設けられており、該複数のテープガイド１８は、ケース１２内において記録テープＴの走行経路を規定している。ケース１２内における複数のテープガイド１８で規定された記録テープＴの走行経路の中央部（隣り合う２つのテープガイド１８間の部分）には、ヘッドとしての磁気ヘッド２０が設けられている。磁気ヘッド２０は、記録テープＴに対する情報の記録（書き込み）、記録テープＴに記録された情報の再生（読み取り）の少なくとも一方を行う構成とされている。
【００２４】
この実施形態に係る情報記録システム１０では、磁気ヘッド２０は、上記走行経路を走行する記録テープＴと摺接しつつ、該記録テープＴへの情報の記録、該記録テープＴに既得された情報の再生を行い得る構成とされている。以上により、情報記録システム１０は、記録テープＴ（が巻き回されたリール１４、１６）を交換することなく、内蔵した記録テープＴの記録容量の範囲内で、該記録テープＴに対する情報の記録、再生を行う構成とされている。
【００２５】
このようにケース１２に対し記録テープＴの出し入れが行われない情報記録システム１０では、図１に示される如く、ケース１２内に磁気ヘッド２０をクリーニングするためのクリーニングテープ２２が記録テープＴと共にリール１４に巻き回されている。以下、具体的に説明する。
【００２６】
（クリーニングテープ及び保護テープ）
図１には、一方のフランジ１４Ｆを取り除いたリール１４（後述するテープリールアセンブリ２８）が斜視図にて示されている。この図に示される如く、クリーニングテープ２２は、例えば接着等によって、一端部２２Ａがリール１４のハブ１４Ｂに固定的に保持（所定のテープ繰り出し限で所要の張力に耐え得る接続状態と）されている。したがって、記録テープＴは直接的にはリール１４のハブ１４Ｂに接続されず、クリーニングテープ２２を介してハブ１４Ｂに接続されている。クリーニングテープ２２は、走行しつつ磁気ヘッド２０を擦る（摺接する）ことで磁気ヘッド２０をクリーニングするべく、記録テープＴに対し表面の凸凹が大きい構成とされている。
【００２７】
クリーニングテープ２２としては、例えば、記録テープＴの材料と同じ材料を用い、該記録テープＴを製造する際の平滑化処理工程であるカレンダー工程（以降の工程）を経ずに得たテープ等を採用することができる。このようにして得たクリーニングテープ２２は、記録テープＴと比べて表裏共に凸凹が大きい構成とされている。このクリーニングテープ２２は、例えば１００ｍ〜数百ｍ程度の長さを有している。なお、記録テープＴの長さは数千ｍ以上とされている。
【００２８】
そして、情報記録システム１０では、図１に示される如く、クリーニングテープ２２と記録テープＴとの間に保護テープとしてのバッファテープ２４が設けられている。具体的には、バッファテープ２４は、その長手方向の一端部２４Ａがスプライステープ２６を介してクリーニングテープ２２に固定的に接続されている。また、バッファテープ２４は、その長手方向の他端部２４Ｂがスプライステープ２６を介して記録テープＴに固定的に接続されている。
【００２９】
このバッファテープ２４としては、例えば、記録テープＴと同じ材料を用い、該該記録テープＴを製造する際のサーボ書き込み工程を経ずに得たテープなどを採用することができる。すなわち、バッファテープ２４は、サーボの有無のみが記録テープＴと異なる構成であっても良い。
【００３０】
このバッファテープ２４は、少なくともハブ１４Ｂに巻き回されたクリーニングテープ２２の外周に１周以上巻かれる長さＬを有する。すなわち、図４（Ａ）に示される如く、ハブ１４Ｂに巻き回された状態の最外層のクリーニングテープ２２の径をＤ１とすると、
Ｌ  ≧  π  ×  Ｄ１
とされている。これにより、記録テープＴは、クリーニングテープ２２と接触することなく、リール１４のハブ１４Ｂに対しバッファテープ２４上（外周）から巻き回されるようになっている。
【００３１】
さらに、バッファテープ２４の長さＬは、リール１６のハブ１６Ｂに巻き取られた記録テープＴの外周にも１周以上巻かれるように決められている。すなわち、図４（Ｂ）に示される如く、ハブ１６Ｂに巻き取られた状態の最外層の記録テープＴの径をＤ２とすると、
Ｌ  ≧  π  ×  Ｄ２
とされている。これにより、クリーニングテープ２２は、記録テープＴと接触することなく、リール１６のハブ１６Ｂに対しバッファテープ２４上（外周）から巻き取られるようになっている。なお、この実施形態では、径Ｄ２は径Ｄ１の２倍程度となっている。
【００３２】
なお、バッファテープ２４の長さＬは、該バッファテープ２４自体の長さと捉えても良く、両端のスプライステープ２６の設置範囲を含む長さと捉えても良い。換言すれば、スプライステープ２６を本発明における保護テープの一部として捉えても良い。この実施形態では、リール１４及びリール１６の少なくとも一方と、記録テープＴと、クリーニングテープ２２と、バッファテープ２４（スプライステープ２６）とが、本発明におけるテープ記録媒体としてのテープリールアセンブリ２８とされている。
【００３３】
次に、第１の実施形態の作用を説明する。
【００３４】
上記構成の情報記録システム１０では、記録テープＴへの情報の記録、又は記録テープＴからの情報の再生に際には、リール１４、リール１６が同期して回転駆動される。すると、記録テープＴは、テープガイド１８にて規定される走行経路を矢印Ａ方向（図２参照９に走行し、磁気ヘッド２０によって情報が書き込まれ、又は情報が読み取られる。
【００３５】
この情報の書き込み、読み取りによって磁気ヘッド２０は汚れる。この汚れを落とす要求があった場合には、クリーニングテープ２２がリール１４から繰り出されてリール１６に巻き取られるようにリール１４、１６が同期して回転駆動される。すると、テープガイド１８にて規定される走行経路をクリーニングテープ２２が矢印Ａ方向に走行し、この走行するクリーニングテープ２２によって擦られた（摺接された）磁気ヘッド２０がクリーニングされる。
【００３６】
また、このクリーニングテープ２２をリール１４に巻き戻す際にも、クリーニングテープ２２は矢印Ａとは逆向きに走行し、この走行するクリーニングテープ２２によって擦られた（摺接された）磁気ヘッド２０がクリーニングされる。
【００３７】
ここで、情報記録システム１０では、リール１４のハブ１４Ｂに巻き回されたクリーニングテープ２２と記録テープＴとの間には、１周以上に亘りバッファテープ２４が介在される。このため、記録テープＴがクリーニングテープ２２の表面に巻き圧を受けつつ接触することがない。すなわち、記録テープＴは、クリーニングテープ２２との間に介在するバッファテープ２４によって、該クリーニングテープ２２との接触に対し保護される。
【００３８】
これにより、情報記録システム１０では、ケース１２内に一対のリール１４、１６、磁気ヘッド２０が外部からのアクセス（出し入れを含む）ができないように設けられた構成において、磁気ヘッド２０をクリーニングすることができる。
【００３９】
また、情報記録システム１０では、記録テープＴがリール１６のハブ１６Ｂに巻き取られた場合においても、該記録テープＴとクリーニングテープ２２との間に１周以上に亘りバッファテープ２４が介在される。このため、記録テープＴがクリーニングテープ２２と接触しながら該クリーニングテープ２２より巻き圧を受けることがない。すなわち、記録テープＴは、クリーニングテープ２２との間に介在するバッファテープ２４によって、該クリーニングテープ２２との接触に対し保護される。
【００４０】
したがって、情報記録システム１０では、記録テープＴのリール１４への巻き回し状態、リール１６への巻き取り（リール１４から繰り出し）状態、及びこれらの中間状態の何れにおいても、記録テープＴが巻き圧を受けながらクリーニングテープ２２に接触することがない。
【００４１】
このように、本実施形態に係る情報記録システム１０では、記録テープＴと共にリール１４、１６に巻き回されたクリーニングテープ２２から該記録テープＴを保護することができる。
【００４２】
なお、第１の実施形態では、クリーニングテープ２２の端部が繰り出し側のリール１４のハブ１４Ｂに接続された例を示したが、本発明はこれに限定されず、例えば、記録テープＴの一端部がリール１４のハブ１４Ｂに接続（保持）され、該記録テープＴの他端部とクリーニングテープ２２との間にバッファテープ２４を介在させるように構成しても良い。
【００４３】
（第２の実施形態）
次に、本発明の第２の実施形態に係る記録テープカートリッジ５０について、図５に基づいて説明する。
【００４４】
図５には、記録テープカートリッジ５０の概略全体構成が斜視図にて示されている。この図に示される如く、記録テープカートリッジ５０は、ケース５２内に、記録テープＴが巻き回された単一のリール５４が回転可能に収容されて構成されている。ケース５２には記録テープＴを引き出すための開口５２Ａが形成されており、この開口５２Ａはドア５６にて開閉されるようになっている。
【００４５】
この記録テープカートリッジ５０は、ドライブ装置に装填されると、ドア５６によって閉じられていた開口５２Ａが開放され、該ドライブ装置内で記録テープＴがケース５２から引き出される構成とされている。ドライブ装置内に引き出された記録テープＴは、該ドライブ装置を構成する図示しない巻き取りリールに巻き取られつつ走行し、ドライブ装置内の磁気ヘッドに摺接しつつ情報の記録又は再生が行われるようになっている。
【００４６】
そして、リール５４には、記録テープＴと共にクリーニングテープ２２、バッファテープ２４が巻き回されている。この実施形態では、リール５４の図示しないハブには記録テープＴの端部が固定的に保持されており、該記録テープＴの引き出し（繰り出し）端側にバッファテープ２４を介してクリーニングテープ２２が接続されている。
【００４７】
具体的には、バッファテープ２４は、一端部２４Ａにおいてスプライステープ２６によって記録テープＴの引き出し端が固定的に接続されており、他端部２４Ｂにおいてスプライステープ２６によってクリーニングテープ２２の一端部が固定的に接続されている。この実施形態では、クリーニングテープ２２の他端部には、ドライブ装置による記録テープＴの引き出しの際に操作されるリーダ部材としてのリーダピン５８が取り付けられている。
【００４８】
このバッファテープ２４は、少なくともリール５４のハブに巻き回された記録テープＴの外周に１周以上巻かれる長さＬを有する。図示は省略するが、リール５４のハブに巻き回された状態の最外層の記録テープＴの径をＤ３とすると、
Ｌ  ≧  π  ×  Ｄ３
とされている。これにより、クリーニングテープ２２は、記録テープＴと接触することなく、リール５４のハブに対しバッファテープ２４上（外周）から巻き回されるようになっている。
【００４９】
さらに、バッファテープ２４の長さＬは、ドライブ装置の巻き取りリールのハブに巻き取られたクリーニングテープ２２の外周にも１周以上巻かれるように決められている。この実施形態では、リール５４とドライブ装置の巻き取りリールとは、ハブ径が同等程度とされている。このため、クリーニングテープ２２（１００ｍ程度以上）と記録テープＴ（数千ｍ以上）との長さ（巻き径）の関係から、上記したＬ  ≧  π  ×  Ｄ３を満たすことで、バッファテープ２４の長さＬは、ドライブ装置の巻き取りリールのハブに巻き取られたクリーニングテープ２２の外周にも１周以上巻かれる長さが確保されている。
【００５０】
なお、バッファテープ２４の長さＬは、該バッファテープ２４自体の長さと捉えても良く、両端のスプライステープ２６の設置範囲を含む長さと捉えても良い。換言すれば、スプライステープ２６を本発明における保護テープの一部として捉えても良い。この実施形態では、リール５４と、記録テープＴと、クリーニングテープ２２と、バッファテープ２４（スプライステープ２６）とが、本発明におけるテープ記録媒体としてのテープリールアセンブリ６０とされている。
【００５１】
次に、第２の実施形態の作用を説明する。
【００５２】
記録テープカートリッジ５０では、記録テープＴへの情報の記録、又は記録テープＴからの情報の再生に際には、ドライブ装置に装填される。すると、この装填動作に伴ってドア５６が開口５２Ａを閉止する位置から開放する位置に移動され、かつ開口５２Ａの開放状態が維持される。ついで、ドライブ装置は、リーダピン５８を把持しつつクリーニングテープ２２の先端を巻き取りリールに導き、リーダピン５８がセットされた巻き取りリールをリール５４と同期して回転させる。
【００５３】
これにより、クリーニングテープ２２は、リール５４から繰り出されると共にケース５２からが引き出されつつ走行し、ドライブ装置の磁気ヘッドを擦りながらクリーニングする。クリーニングテープ２２が磁気ヘッドを通過すると、記録テープＴが磁気ヘッドと摺接して、情報の記録又は再生が果たされる。さらに、記録テープＴをリール５４に巻き戻す際にも、クリーニングテープ２２は記録テープＴの引き出し時とは逆向きに走行し、この走行するクリーニングテープ２２によって擦られた（摺接された）磁気ヘッド２０がクリーニングされる。
【００５４】
ここで、記録テープカートリッジ５０では、リール５４のハブに巻き回されたクリーニングテープ２２と記録テープＴとの間には、１周以上に亘りバッファテープ２４が介在される。このため、記録テープＴがクリーニングテープ２２と接触しながら該クリーニングテープ２２より巻き圧を受けることがない。すなわち、記録テープＴは、クリーニングテープ２２との間に介在するバッファテープ２４によって、該クリーニングテープ２２との接触に対し保護される。
【００５５】
このように、本実施形態に係る記録テープカートリッジ５０では、記録テープＴと共にリール５４に巻き回されたクリーニングテープ２２から該記録テープＴを保護することができる。
【００５６】
また、記録テープカートリッジ５０では、記録テープＴがドライブ装置側の巻き取りリールのハブに巻き取られた場合においても、該記録テープＴとクリーニングテープ２２との間に１周以上に亘りバッファテープ２４が介在される。このため、記録テープＴがクリーニングテープ２２の表面に巻き圧を受けつつ接触することがない。すなわち、記録テープＴは、クリーニングテープ２２との間に介在するバッファテープ２４によって、該クリーニングテープ２２との接触に対し保護される。
【００５７】
したがって、記録テープカートリッジ５０では、記録テープＴのリール５４への巻き回し状態、ドライブ装置の巻き取りリールへの巻き取り（リール１４から繰り出し）状態、及びこれらの中間状態の何れにおいても、記録テープＴが巻き圧を受けながらクリーニングテープ２２に接触することがない。
【００５８】
なお、第２の実施形態では、クリーニングテープ２２が記録テープＴの引き出し端側に接続された例を示したが、本発明はこれに限定されず、例えば、クリーニングテープ２２がリール５４のハブに固定的に接続される構成としても良い。すなわち、記録テープＴがクリーニングテープ２２、バッファテープ２４を介してリール５４に保持される構成としても良い。
【符号の説明】
【００５９】
１０      情報記録システム
１４      リール
１６      リール
２０      磁気ヘッド（ヘッド）
２２      クリーニングテープ
２４      バッファテープ（保護テープ）
２８      テープリールアセンブリ（テープ記録媒体）
５０      記録テープカートリッジ
５２      ケース
５４      リール
５８      リーダピン（リーダ部材）
６０      テープリールアセンブリ（テープ記録媒体）
Ｔ      記録テープ
【図１】
2012174289.tif 000003
【図２】
2012174289.tif 000004
【図３】
2012174289.tif 000005
【図４】
2012174289.tif 000006
【図５】
2012174289.tif 000007